(57)【特許請求の範囲】
【請求項１】
排泄物を受ける内部空間が形成された本体、前記内部空間と連通される吸入管、前記内部空間に形成される第１ノズル部及び第１ノズル部に洗浄水を供給する第１洗浄水供給管が形成された排泄物収容部と、前記吸入管と連結されて吸引力を提供する吸入部、ポンプ能力を提供する１つのポンプが形成されて第１洗浄水供給管と連結される洗浄水貯蔵部が形成された制御モジュール、及び前記吸入管の一端と他端が同一線上に位置するように前記本体の角度を調節して安着させる据置台を含む排泄物処理装置の洗浄及び消毒方法において、前記据置台が前記吸入管の一端と他端を同一線上に位置させる段階と、前記１つのポンプを駆動して前記第１ノズル部を通じて前記内部空間に既設定された水位まで洗浄水を供給する段階と、前記既設定された水位まで洗浄水が供給された状態を所定時間維持した後、前記吸入部を駆動して前記内部空間に位置した洗浄水を吸い込む段階を含み、
前記内部空間に既設定された水位まで洗浄水を供給する段階は、
前記１つのポンプを駆動して第１の量ほどの洗浄水を第１速度で内部空間に供給する段階と、
前記１つのポンプを駆動して第２の量ほどの洗浄水を第１速度より遅い第２速度で内部空間に供給する段階を含み、
前記第１の量ほどの洗浄水を供給する段階と前記第２の量ほどの洗浄水を供給する段階は、前記１つのポンプの出力及び駆動時間が相互異なることを特徴とする、排泄物処理装置の洗浄及び消毒方法。
【請求項２】
前記本体は、ボディー、及び前記ボディーと組み合わせされる男性用モジュールまたは女性用モジュールを含み、
前記排泄物収容部は、前記ボディーの内部空間に形成される第２ノズル部及び第２ノズル部に洗浄水を供給する第２洗浄水供給管をさらに含み、前記第２洗浄水供給管は前記洗浄水貯蔵部と連結され、前記内部空間に位置した第２ノズル部の噴射口が前記内部空間に向かうように第２ノズル部を切り替える段階と、前記１つのポンプを駆動して第２ノズル部に洗浄水を供給する段階と、前記吸入部を駆動して前記第２ノズル部から噴射された洗浄水を前記吸入管を通して吸い込む段階をさらに含むことを特徴とする、請求項１に記載の排泄物処理装置の洗浄及び消毒方法。
【請求項３】
前記本体は、ボディー、及び前記ボディーと組み合わせされる男性用モジュールまたは女性用モジュールを含み、
前記排泄物収容部は、前記男性用モジュールまたは前記女性用モジュールの内部空間に形成される第３ノズル部及び第３ノズル部に洗浄水を供給する第３洗浄水供給管をさらに含み、前記第３洗浄水供給管は前記洗浄水貯蔵部と連結され、前記１つのポンプを駆動して前記第３ノズル部に洗浄水を供給する段階と、前記吸入部を駆動して前記第３ノズル部から噴射された洗浄水を前記吸入管を通して吸い込む段階をさらに含むことを特徴とする、請求項１に記載の排泄物処理装置の洗浄及び消毒方法。
【請求項４】
前記制御モジュールは、前記洗浄水貯蔵部に連結される消毒剤供給部をさらに含み、
前記内部空間に既設定された水位まで洗浄水を供給する段階の前に、前記消毒剤供給部を駆動して前記洗浄水貯蔵部に消毒剤を投入する段階をさらに含むことを特徴とする、請求項１に記載の排泄物処理装置の洗浄及び消毒方法。
【請求項５】
前記内部空間に既設定された水位まで洗浄水を供給する段階は、前記１つのポンプを駆動して洗浄水を前記内部空間へ供給する段階と、前記内部空間に形成された水位センサーを通じて水位を測定する段階と、前記測定された水位が既設定された水位以上になると、前記１つのポンプの駆動を中止する段階を含むことを特徴とする、請求項１に記載の排泄物処理装置の洗浄及び消毒方法。
【請求項６】
前記据置台が前記吸入管の少なくとも一端と他端を同一線上に位置させる段階は、前記据置台が前記吸入管が組み合わせられた前記本体の一端が下に向かうように前記排泄物収容部の角度を調節する段階と、
前記据置台が前記吸入管の一端と他端を同一線上に位置させる段階と、
前記据置台が前記吸入管の一端及び他端を除いた一領域を前記吸入管の一端及び他端より下に位置させる段階を含むことを特徴とする、請求項１に記載の排泄物処理装置の洗浄及び消毒方法。
【請求項７】
排泄物を受ける内部空間が形成された本体、前記内部空間と連通される吸入管、前記内部空間に形成される第１ノズル部及び第１ノズル部に洗浄水を供給する第１洗浄水供給管が形成された排泄物収容部と、
前記吸入管と連結されて吸引力を提供する吸入部、ポンプ能力を提供する１つのポンプが形成されて第１洗浄水供給管と連結される洗浄水貯蔵部、前記洗浄水貯蔵部と連結されて前記洗浄水貯蔵部に消毒剤を供給する消毒剤供給部、既設定された洗浄コースまたは消毒コースを選択できるようにコース選択手段が備えられたコントロールパネル、前記コントロールパネルを通じて前記洗浄コースまたは消毒コースが選択されることによって選択されたコースを行うように、前記吸入部、前記１つのポンプ及び前記消毒剤供給部の駆動を制御する制御部が形成される制御モジュールと、
前記制御モジュールを収容するハウジングと、
前記ハウジングの外周面に形成され、前記吸入管の一端と他端が同一線上に位置するように前記本体の角度を調節して安着させる据置台を含んで構成され、
前記制御部は前記洗浄コースが選択されることによって、
前記１つのポンプを駆動して前記第１ノズル部を通して前記内部空間に既設定された量の洗浄水を供給する段階と、
既設定された時間が経った後、前記吸入部を駆動して前記内部空間に位置した洗浄水を吸い込む段階を進め、
前記内部空間に既設定された量の洗浄水を供給する段階は、
前記１つのポンプを駆動して第１の量ほどの洗浄水を第１速度で内部空間に供給する段階と、
前記１つのポンプを駆動して第２の量ほどの洗浄水を第１速度より遅い第２速度で内部空間に供給する段階を含み、
前記第１の量ほどの洗浄水を供給する段階と前記第２の量ほどの洗浄水を供給する段階は、前記１つのポンプの出力及び駆動時間が相互異なることを特徴とする、排泄物処理装置。
【請求項８】
前記制御部は、前記消毒コースが選択されることによって、
前記消毒剤供給部を駆動して前記洗浄水貯蔵部に前記消毒剤を投入する段階と、
前記１つのポンプを駆動して前記内部空間に既設定された量の洗浄水を供給する段階と、
既設定された時間が経った後、前記吸入部を駆動して前記内部空間に位置した洗浄水を吸い込む段階を進めることを特徴とする、請求項７に記載の排泄物処理装置。
【発明の詳細な説明】
【技術分野】
【０００１】
本発明は、排泄物処理装置の洗浄及び消毒方法、並びにこれを利用する排泄物処理装置に係り、より詳しくは、使用者が容易く周期的に洗浄することができる排泄物処理装置の洗浄及び消毒方法、並びにこれを利用する排泄物処理装置に関する。
【背景技術】
【０００２】
排泄物処理装置は、排泄物収容部が使用者の体に安着された状態で使用者から排出される排泄物を受けて排泄物を処理する装置であって、最近は平均寿命が伸びることによって、病床で生活するお年寄りや患者が増え、排泄物処理装置が脚光を浴びている。
【０００３】
このような排泄物処理装置は使用中に背部空間に飛び散った排泄物、または排泄物を吸い込む過程で吸入管に付着された排泄物によって細菌が繁殖しやすいので、衛生性を保つためには周期的に洗浄作業を行わなければならない。
【０００４】
しかし、排泄物処理装置を洗浄するためには、排泄物処理装置を成す部品（排泄物収容部、吸入管、排出管など）をそれぞれ分離して手作業で洗浄しなければならない煩わしさがあった。また、排泄物処理装置を洗浄または消毒するためには、分離された部品を給水と排水施設が揃った場所に移さなければならない不便さがあった。
【０００５】
よって、排泄物処理装置を分離せずに、場所を移すことなく容易に洗浄及び消毒可能な排泄物処理装置の洗浄及び消毒方法、並びにこれを利用する排泄物処理装置に対して求めるようになった。
【先行技術文献】
【特許文献】
【０００６】
【特許文献１】韓国登録特許第１０‐１５７５１４０号
【発明の概要】
【発明が解決しようとする課題】
【０００７】
本発明が成そうとする技術的課題は、排泄物処理装置を分離せずに、場所を移すことなく容易に洗浄及び消毒可能な排泄物処理装置の洗浄及び消毒方法、並びにこれを利用する排泄物処理装置を提供することである。
【０００８】
本発明がなそうとする技術的課題は、以上で言及した技術的課題に制限されず、言及されていない別の技術的課題は、以下の記載から本発明が属する技術分野における通常の知識を有する者に明確に理解される。
【課題を解決するための手段】
【０００９】
前記技術的課題を達成するために、本発明の一実施例は吸入管の一端と他端を同一線上に位置させる段階と、ポンプを駆動して第１ノズル部を通して内部空間に既設定された水位まで洗浄水を供給する段階と、既設定された水位まで洗浄水が供給された状態を所定時間維持した後、吸入部を駆動して内部空間に位置した洗浄水を吸い込む段階を含み、排泄物を受ける内部空間が形成された本体、内部空間と連通される吸入管、内部空間に形成される第１ノズル部、及び第１ノズル部に洗浄水を供給する第１洗浄水供給管が形成された排泄物収容部と、吸入管と連結されて吸引力を提供する吸入部、及びポンプ能力を提供するポンプが形成され、第１洗浄水供給管と連結される洗浄水貯蔵部が形成された制御モジュールを含む排泄物処理装置の洗浄及び消毒方法を提供する。
【００１０】
本発明の一実施例において、内部空間に既設定された水位まで洗浄水を供給する段階は、ポンプを駆動して第１の量ほどの洗浄水を内部空間に供給する段階と、ポンプを駆動して第２の量ほどの洗浄水を内部空間に供給する段階を含み、第２の量ほどの洗浄水を内部空間に供給する段階は、第１の量ほどの洗浄水を内部空間に供給する段階より洗浄水の供給速度が遅いことがある。
【００１１】
本発明の一実施例において、第１の量ほどの洗浄水を供給する段階と第２の量ほどの洗浄水を供給する段階は、ポンプの出力及びポンプの駆動時間が異なることがある。
【００１２】
本発明の一実施例において、排泄物収容部は内部空間に形成される第２ノズル部及び第２ノズル部に洗浄水を供給する第２洗浄水供給管をさらに含み、第２洗浄水供給管は洗浄水貯蔵部と連結され、内部空間に位置した第２ノズル部の噴射口が内部空間に向かうように第２ノズル部を切り替える段階と、ポンプを駆動して第２ノズル部に水を供給する段階と、吸入部を駆動して第２ノズル部で噴射された洗浄水を吸入管を通して吸い込む段階をさらに含むことができる。
【００１３】
本発明の一実施例において、排泄物収容部は内部空間に形成される第３ノズル部及び第３ノズル部に洗浄水を供給する第３洗浄水供給管をさらに含み、第３洗浄水供給管は洗浄水貯蔵部と連結され、ポンプを駆動して第３ノズル部に洗浄水を供給する段階と、吸入部を駆動して第３ノズル部から噴射された洗浄水を吸入管を通して吸い込む段階をさらに含むことができる。
【００１４】
本発明の一実施例において、制御モジュールは、洗浄水貯蔵部に連結される消毒剤供給部をさらに含み、内部空間に既設定された水位まで洗浄水を供給する段階の前に、洗浄水貯蔵部に組み合わせられた消毒剤供給部を駆動して供給管に消毒剤を投入する段階をさらに含むことができる。
【００１５】
本発明の一実施例において、内部空間に既設定された水位まで洗浄水を供給する段階は、ポンプを駆動して洗浄水を内部空間に供給する段階と、内部空間に形成されたセンサー部を通じて水位を測定する段階と、測定された水位が既設定された水位以上になると、ポンプの駆動を中止する段階を含むことができる。
【００１６】
本発明の一実施例において、吸入管の一端と他端を同一線上に位置させる段階は、吸入管が組み合わせられた本体の一端が下に向かうように排泄物収容部の角度を調節する段階と、吸入管の一端と他端を同一線上に位置させる段階と、吸入管の一端及び他端を除いた一領域を吸入管の一端及び他端より下に位置させる段階を含むことができる。
【００１７】
技術的課題を達成するために、本発明の一実施例は、排泄物を受ける内部空間が形成された本体、内部空間と連通される吸入管、内部空間に形成される第１ノズル部及び第１ノズル部に洗浄水を供給する第１洗浄水供給管が形成された排泄物収容部と、吸入管と連結されて吸引力を提供する吸入部、ポンプ能力を提供するポンプが形成され、第１洗浄水供給管と連結される洗浄水貯蔵部、洗浄水貯蔵部と連結され、洗浄水貯蔵部に消毒剤を供給する消毒剤供給部、既設定された洗浄コースまたは消毒コースを選択できるようにコース選択手段が備えられたコントロールパネル、コントロールパネルを通じて前記洗浄コースまたは消毒コースが選択されることによって選択されたコースを行うように、吸入部、ポンプ及び消毒剤供給部の駆動を制御する制御部が形成された制御モジュールと、制御モジュールを収容するハウジングと、ハウジングの外周面に形成されて吸入管の一端と他端が同一線上に位置するように本体の角度を調節して安着させる据置台を含んで構成され、制御部は洗浄コースが選択されることによって、ポンプを駆動して第１ノズル部を通して内部空間に既設定された量の洗浄水を供給する段階と、既設定された時間が経った後、吸入部を駆動して内部空間に位置した洗浄水を吸い込む段階を進める排泄物処理装置を提供する。
【００１８】
本発明の一実施例において、制御部は消毒コースが選択されることによって、消毒剤供給部を駆動して洗浄水貯蔵部に消毒剤を投入する段階と、ポンプを駆動して内部空間に既設定された量の洗浄水を供給する段階と、既設定された時間が経った後、吸入部を駆動して内部空間に位置した洗浄水を吸い込む段階を進めることができる。
【００１９】
技術的課題を達成するために、本発明の一実施例は、ノズル部の噴射口が内部空間に向かうようにノズル部を切り替える段階と、ポンプを駆動してノズル部に洗浄水を供給する段階と、バルブを開放して洗浄水供給部を通して内部空間に既設定された量の洗浄水を供給する段階を含み、水道蛇口に連結されて洗浄水が貯蔵される洗浄水貯蔵部、洗浄水貯蔵部の前方に取り付けられて内部空間及び内部空間と連通されるサイフォン管が形成された洋式便器、洋式便器に形成されて洗浄水貯蔵部と第１洗浄水供給管に連結され、内部空間に洗浄水を供給する洗浄水供給部及び洋式便器に形成され、洗浄水貯蔵部と第２洗浄水供給管に連結されて使用者に洗浄水を噴射するノズル部が形成された排泄物収容部と、ノズル部に水が供給されるようにポンプ能力を提供するポンプ、洗浄水貯蔵部と第１洗浄水供給管の間に形成されるバルブ及び洗浄水貯蔵部と連結され、洗浄水貯蔵部に消毒剤を供給する消毒剤供給部が形成された制御モジュールを含む排泄物処理装置の洗浄及び消毒方法を提供する。
【００２０】
本発明の一実施例において、消毒剤供給部を駆動して洗浄水貯蔵部に消毒剤を投入する段階をさらに含むことができる。
【００２１】
技術的課題を達成するために、本発明の一実施例は水道蛇口に連結されて洗浄水が貯蔵される洗浄水貯蔵部、洗浄水貯蔵部の前方に取り付けられて内部空間及び内部空間と連通されるサイフォン管が形成された洋式便器、洋式便器に形成されて洗浄水貯蔵部と第１洗浄水供給管に連結され、内部空間に洗浄水を供給する洗浄水供給部及び洋式便器に形成され、洗浄水貯蔵部と第２洗浄水供給管に連結されて使用者に洗浄水を噴射するノズル部が形成された排泄物収容部と、ズル部に洗浄水が供給されるようにポンプ能力を提供するポンプ、洗浄水貯蔵部と第１洗浄水供給管の間に形成されるバルブ、洗浄水貯蔵部と連結されて洗浄水貯蔵部に消毒剤を供給する消毒剤供給部、既設定された洗浄コースまたは消毒コースを選択できるようにコース選択手段が備えられたコントロールパネル及びコントロールパネルを通じて洗浄コースまたは消毒コースが選択されることによって選択されたコースを行うように洗浄水供給部、ポンプ及び消毒剤供給部の駆動を制御する制御部が形成される制御モジュールを含んで構成され、制御部は洗浄コースが選択されることによって、ポンプを駆動してノズル部に既設定された量の洗浄水を供給する段階と、バルブを駆動して内部空間に洗浄水を供給する段階を進める排泄物処理装置を提供する。
【００２２】
本発明の一実施例において、制御部は消毒コースが選択されることによって、消毒剤供給部を駆動して洗浄水貯蔵部に消毒剤を投入する段階と、ポンプを駆動してノズル部に既設定された量の洗浄水を供給する段階と、バルブを駆動して内部空間に洗浄水を供給する段階を進めることができる。
【発明の効果】
【００２３】
本発明の実施例によれば、排泄物処理装置を分離せずに、本来の排泄物処理装置に形成された吸入部、ポンプなどを活用してノンストップで排泄物及び洗浄水が通る経路を排泄物処理装置を洗浄及び消毒することができるので、使用者の便宜性が向上することがある。
【００２４】
また、本発明の実施例によれば、排泄物処理装置の排泄物収容部に洗浄水が満たされた状態を所定時間維持した後で洗浄水を吸い込むので、乾上がる排泄物が洗浄水によってふやかされて容易に除去されるので、洗浄及び消毒の効率が向上する。
【００２５】
本発明の効果は上記効果に限定されることではなく、本発明の詳細な説明または特許請求範囲に記載された発明の構成から推論可能なすべての効果を含むものとして理解しなければならない。
【図面の簡単な説明】
【００２６】
【図１】本発明の第１実施例による排泄物処理装置の構成の一つである男性用モジュールが形成された排泄物収容部を図示する図面である。
【図２】本発明の第１実施例による排泄物処理装置の構成の一つである女性用モジュールが形成された排泄物収容部を図示する図面である。
【図３】図２のボディーを図示する図面である。
【図４】図２の女性用モジュールを図示する図面である。
【図５】本発明の第１実施例による排泄物処理装置を図示する図面である。
【図６】本発明の第１実施例による排泄物処理装置の構成図である。
【図７】本発明の第１実施例による排泄物処理装置の洗浄及び消毒方法を図示するフローチャートである。
【図８】図７のＳ１００段階に対する一実施例を説明するための詳細なフローチャートである。
【図９】図７のＳ１２０段階に対する一実施例を説明するための詳細なフローチャートである。
【図１０】図７のＳ１２０段階に対する他の実施例を説明するための詳細なフローチャートである。
【図１１】本発明の第２実施例による排泄物処理装置を図示する図面である。
【図１２】本発明の第２実施例による排泄物処理装置の構成図である。
【図１３】本発明の第２実施例による排泄物処理装置の洗浄及び消毒方法を図示するフローチャートである。
【発明を実施するための形態】
【００２７】
以下では添付の図面を参照して本発明を説明する。しかし、発明は幾つか異なる形態で具現されてもよく、よって、ここで説明する実施例に限定されることではない。そして、図面で本発明を明確に説明するために説明と関係ない部分は省略し、明細書全体にわたって類似な部分に対しては類似な図面符号を付した。
【００２８】
明細書全体にわたって、ある部分が他の部分と「連結（接続、接触、組み合わせ）」されていると言う時、これは「直接連結」されている場合だけでなく、その間に他の部材を挟んで「間接連結」されている場合も含む。また、ある部分がある構成要素を「含む」とする時、これは特に断らない限り、他の構成要素を除くのではなく、他の構成要素をさらに備えられることを意味する。
【００２９】
本明細書で使う用語は、単に特定実施例を説明するために使われたもので、本発明を限定しようとする意図ではない。単数の表現は、文脈上明らかに違うことを意味しない限り、複数の表現を含む。本明細書において、「含む」または「持つ」などの用語は、明細書上に記載された特徴、数字、段階、動作、構成要素、部品またはこれらを組み合わせたものが存在することを指定するためのもので、一つまたはそれ以上の他の特徴や数字、段階、動作、構成要素、部品またはこれらを組み合わせたものなどの存在または付加可能性を予め排除しないものとして理解しなければならない。
【００３０】
以下、添付の図面を参考にして本発明の実施例を詳しく説明する。
【００３１】
図１は、本発明の第１実施例による排泄物処理装置１の構成の一つである男性用モジュール１１１が形成された排泄物収容部１０を図示する図面である。
【００３２】
排泄物処理装置１は、排泄物収容部１０及び制御モジュール２０（図５参照）を含み、図１ないし図３では排泄物収容部１０について説明する。
【００３３】
本発明の一実施例による排泄物収容部１０は、本体１１、吸入管１２、第１ノズル部１３及び第１洗浄水供給管１４を含む。
【００３４】
本体１１は使用者の臀部が安着され、人体の生殖器及び臀部方向に開放されて使用者の体外に排出される排泄物を収容する内部空間が形成される。
【００３５】
使用者は、本体１１を脚の間に置いて臀部に密着させ、本体１１の両側に脚を伸ばして使うことができる。図１は、排泄物収容部１０を上から眺めた姿で、使用者の臀部が密着される領域である。
【００３６】
より詳しくは、本体１１はボディー１１０、及びボディー１１０と組み合わせされる男性用モジュール１１１または女性用モジュール１１２を含む。
【００３７】
図１のａはボディー１１０と男性用モジュール１１１が組み合わせられた形態を図示し、図１のｂはボディー１１０と男性用モジュール１１１が分離された形態を図示している。
【００３８】
一方、以下では説明の便宜のために、男性用モジュール１１１が備えられた方向を上部、反対方向を下部と定義する。
【００３９】
ボディー１１０は使用者の身体が安着され、人体の臀部方向に開放されて使用者の体外に排出される排泄物を収容する第１内部空間１１０１が形成される。この時、第１内部空間１１０１には排泄物を吸い込むための吸入流路１２０を持つ吸入管１２が組み合わせられてもよく、吸入管１２は第１内部空間１１０１と連通されて後述する吸入部２１と連結される。
【００４０】
第１ノズル部１３は第１内部空間１１０１に収容された排泄物を吸入管１２へ流すために第１内部空間１１０１に洗浄水を供給する構成要素であって、第１内部空間１１０１の下部に形成される。第１ノズル部１３は後述する洗浄水貯蔵部２２（図５参照）と第１洗浄水供給管１４に連結されて洗浄水貯蔵部２２から洗浄水が伝達される。
【００４１】
排泄物収容部１０は第２ノズル部１５（図３参照）及び第２ノズル部１５に洗浄水を供給する第２洗浄水供給管１６（図５参照）をさらに含んでもよい。第２ノズル部１５はボディー１１０の一領域に形成され、人体の臀部を洗浄するために洗浄水を噴射することができる。第２洗浄水供給管１６は洗浄水貯蔵部２２と連結されてもよい。
【００４２】
男性用モジュール１１１は人体の生殖器方向に開放され、使用者の体外に排出される小便を収容する第２内部空間（未図示）が形成される。この時、第２内部空間は第１内部空間１１０１と連通され、第２内部空間に位置した小便は第１内部空間１１０１に移動されることができる。上述した本体１１の内部空間は、第１内部空間１１０１及び第２内部空間を含む。
【００４３】
また、排泄物収容部１０は、第３ノズル部１７（図４参照）及び第３ノズル部１７に洗浄水を供給する第３洗浄水供給管１８（図５参照）をさらに含んでもよい。第３ノズル部１７は男性用モジュール１１１または後述する女性用モジュール１１２の一領域に形成され、人体の生殖器を洗浄するために洗浄水を噴射することができる。第３洗浄水供給管１８は洗浄水貯蔵部２２と連結されることができる。図４は女性用モジュール１１２の一領域に第３ノズル部１７が形成された形態のみを図示しているが、男性用モジュール１１１にも第３ノズル部１７が形成されてもよいことは勿論である。
【００４４】
図２は、本発明の第１実施例による排泄物処理装置１の構成の一つである女性用モジュール１１２が形成された排泄物収容部１０を図示する図面である。
【００４５】
排泄物収容部１０の使用者が女性である場合、ボディー１１０に女性用モジュール１１２を組み合わせて使うことができる。つまり、本発明の排泄物収容部１０は使用者の性別に合わせて変形することができる。
【００４６】
図３は図２のボディー１１０を図示する図面で、第２ノズル部１５を図示している。第２ノズル部１５は人体の臀部を洗浄するために第２洗浄水供給管１６を介して伝達された洗浄水を臀部に噴射することができ、ボディー１１０の第１内部空間１１０１に位置することができる。
【００４７】
第２ノズル部１５は、外周面に一つ以上の噴射口１５１が形成される。この時、第２ノズル部１５は円柱型に形成されてもよく、噴射口１５１は円柱の横面に形成されてもよい。
【００４８】
また、第２ノズル部１５は中心軸を基準にして回動できるようにボディー１１０に組み合わせられ、後述する制御部２５の制御信号によって回動される。すなわち、第２ノズル部１５の回動によって洗浄水の供給（または噴射）方向が変わることがある。第２ノズル部１５は洗浄水貯蔵部２２と第２洗浄水供給管１６に連結され、洗浄水貯蔵部２２から洗浄水が伝達される。
【００４９】
図３には図示されていないが、排泄物収容部１０は内部空間に洗浄水の水位を測定する水位センサー１１３（図５参照）が形成されてもよい。水位センサー１１３は制御部２５と連結され、制御部２５に測定された水位を送信する。
【００５０】
図４は、図２の女性用モジュール１１２を図示する図面である。女性用モジュール１１２は、第１内部空間１１０１と連通されることができる第２内部空間１１２１が形成されてもよい。
【００５１】
女性用モジュール１１２は、人体の生殖器を洗浄するために洗浄水貯蔵部２２から伝達された洗浄水を供給する第３ノズル部１７が形成されることができる。第３ノズル部１７は一つ以上の噴射口１７１が形成されてもよく、第２内部空間１１２１の上部面に形成されてもよい。第３ノズル部１７は後述する洗浄水貯蔵部２２と第３洗浄水供給管１８に連結され、後述する洗浄水貯蔵部から洗浄水が伝達される。
【００５２】
図５は本発明の第１実施例による排泄物処理装置１を図示する図面で、図６は本発明の第１実施例による排泄物処理装置１の構成図である。
【００５３】
上述したように、排泄物処理装置１は排泄物収容部１０及び制御モジュール２０を含む。
【００５４】
排泄物収容部１０は図１ないし図４で説明したので、これに対する説明は省略する。
【００５５】
制御モジュール２０は、排泄物収容部１０の洗浄及び消毒を制御する構成要素であって、排泄物収容部１０と連結される。制御モジュール２０は吸入部２１及び洗浄水貯蔵部２２を含み、消毒剤供給部２３、コントロールパネル２４及び制御部２５をさらに含むことができる。
【００５６】
吸入部２１は吸入管１２に吸引力を提供する構成要素であって、吸入管１２と連結されて吸入管１２または本体１１の内部空間（以下、内部空間）に位置した排泄物または洗浄水を吸い込む。吸入部２１は排泄物貯蔵部材２１０が形成されることができる。
【００５７】
排泄物貯蔵部材２１０は吸入管１２を通して吸い込まれる排泄物を貯蔵する構成要素であって、貯蔵空間を有する。吸入部２１は排泄物貯蔵部材２１０の空気を外部へ排出して貯蔵空間の圧力を下げて、吸入管１２または内部空間に位置した物質を貯蔵空間側に移動させる。
【００５８】
洗浄水貯蔵部２２は洗浄水を貯蔵し、貯蔵された洗浄水を内部空間に供給する構成要素であって、ポンプ能力を提供するポンプ２２０が形成されてもよい。洗浄水貯蔵部２２は第１洗浄水供給管１４と連結されることができ、制御部２５によって制御されることができる。
【００５９】
本発明の一実施例によって、ポンプ２２０と第１洗浄水供給管１４の間には第１連結管１４１が形成されてもよく、第１連結管１４１と第１洗浄水供給管１４の連結部品には第１洗浄水供給管１４の開閉を制御する第１バルブ１４２が形成されてもよい。第１バルブ１４２は制御部２５によって制御されることができる。
【００６０】
上述した第２洗浄水供給管１６及び第３洗浄水供給管１８は、第２連結管１６０を挟んで第１バルブ１４２に連結されることができる。つまり、第２洗浄水供給管１６及び第３洗浄水供給管１８は第２連結管１６０から分岐されてもよい。
【００６１】
また、第２洗浄水供給管１６及び第３洗浄水供給管１８と第２連結管１６０の連結部品には、第２洗浄水供給管１６及び第３洗浄水供給管１８の開閉を制御する第２バルブ１６１が形成されることができる。
【００６２】
この時、第２バルブ１６１は本体１１の内部に形成されてもよく、制御部２５によって制御されることができる。
【００６３】
消毒剤供給部２３は洗浄水貯蔵部２２に消毒剤を供給する構成要素であって、洗浄水貯蔵部２２に組み合わせられてもよい。洗浄水貯蔵部２２に消毒剤が供給される場合、洗浄水貯蔵部２２に貯蔵された洗浄水が消毒液に変化されることがある。
【００６４】
コントロールパネル２４は、洗浄コースまたは消毒コースを選択する使用者の命令信号を受けて制御部２５に送信する構成要素である。
【００６５】
制御部２５は、吸入部２１、洗浄水貯蔵部２２、第１バルブ１４２、第２バルブ１６１及び消毒剤供給部２３を制御する構成要素である。また、制御部２５は、使用者がコントロールパネル２４を通じて洗浄コースまたは消毒コースを選択すれば、吸入部２１、洗浄水貯蔵部２２、第１バルブ１４２、第２バルブ１６１及び消毒剤供給部２３を制御して既設定された洗浄コースまたは消毒コースを遂行する。
【００６６】
制御部２５は、コントロールパネル２４を通じて洗浄コースが選択されると洗浄水貯蔵部２２のポンプ２２０を駆動し、第１洗浄水供給管１４が開放されるように第１バルブ１４２を制御して第１ノズル部１３を通じて内部空間に既設定された水位まで洗浄水を供給し、既設定された時間が経った後、吸入部２１を駆動して内部空間及び吸入管１２に位置した洗浄水を吸い込む。
【００６７】
既設定された時間が経った後で吸入部２１が駆動されるため、洗浄水が満たされた状態が所定時間維持され、吸入管１２に残留する排泄物がふやかされることがあり、これによって洗浄効率が向上されることができる。また、本発明は洗浄装置なくても既存の排泄物処理装置１に形成されていたポンプ２２０、吸入部２１及び制御部２５などを活用して排泄物処理装置１を洗浄することができて、別途の洗浄装置を備える必要がない。
【００６８】
制御部２５が既設定された水位まで洗浄水を供給することは、前もって既設定された量の洗浄水を供給すること、または水位センサー１１３を通じて水位を測定して洗浄水の供給を制御することである。
【００６９】
既設定された量の洗浄水を供給する場合、制御部２５は洗浄水貯蔵部２２のポンプ２２０及び第１バルブ１４２を制御して第１洗浄水供給管１４を通じて第１の量ほどの洗浄水を第１速度で内部空間に供給し、第２の量ほどの洗浄水を第１速度より遅い第２速度で内部空間に供給することができる。この時、第１の量ほどの洗浄水と第２の量ほどの洗浄水が内部空間に供給される場合、内部空間に既設定された水位を満たすことができる。
【００７０】
つまり、既設定された水位を満たす量ほどの洗浄水を２段階に分けて、初めは速く供給して後はゆっくり供給することである。本発明では２段階に分けて洗浄水を供給することを開示しているが、３段階あるいはそれ以上の段階に分けて洗浄水を供給してもよく、洗浄水を供給する段階の数は自在に変更可能である。
【００７１】
一方、第２速度は、洗浄水が吸入管１２から排泄物貯蔵部材２１０に移動する速度より遅いため、既設定された水位を満たした後も引き続き洗浄水が供給されるとしても、吸入管の高低によって既設定された水位以上の洗浄水は吸入管１２と連結された排泄物貯蔵部材２１０に移動し、これによって洗浄水が既設定された水位を超えて排泄物処理装置１の外部に排出されない。この時、制御部２５は既設定されたポンプ２２０の出力及び駆動時間で洗浄水の供給速度と供給量を制御することができる。
【００７２】
水位センサー１１３を通じて水位を測定して洗浄水を供給する場合、制御部２５は水位センサー１１３から測定された水位値にしたがって、洗浄水貯蔵部２２のポンプ２２０及び第１バルブ１４２を制御することができる。より詳しくは、制御部２５はポンプ２２０及び第１バルブ１４２を制御して第１洗浄水供給管１４を通して内部空間に洗浄水を供給し、水位センサー１１３から測定された水位値を受信して、測定された水位値が既設定された水位以上になると、ポンプ２２０の駆動を中止し、第１バルブ１４２が第１洗浄水供給管１４を閉鎖するように制御する。
【００７３】
既設定された時間が経った後、吸入部２１を駆動して内部空間及び吸入管１２に位置した洗浄水を吸い込んだ後、制御部２５は第２ノズル部１５を駆動して第２ノズル部１５の噴射口１５１が内部空間に向かうように切り替え、第２洗浄水供給管１６に洗浄水が供給されるようにポンプ２２０、第１バルブ１４２及び第２バルブ１６１を駆動して第２ノズル部１５に既設定された量の洗浄水を供給し、吸入部２１を駆動して内部空間及び吸入管１２に位置した洗浄水を吸い込む。この時、ポンプ２２０と吸入部２１は同時に駆動されてもよい。
【００７４】
以後、制御部２５は第３洗浄水供給管１８に洗浄水が供給されるよう、洗浄水貯蔵部２２のポンプ２２０、第１バルブ１４２及び第２バルブ１６１を駆動して第３ノズル部１７に既設定された量の洗浄水を供給し、吸入部２１を駆動して内部空間及び吸入管１２に位置した洗浄水を吸い込む。この時、ポンプ２２０と吸入部２１は同時に駆動されてもよい。
【００７５】
このように洗浄水が第１洗浄水供給管１４を通して内部空間に提供されることで、洗浄水の流れによって第１洗浄水供給管１４及び第１ノズル部１３が洗浄されることができ、内部空間に供給された洗浄水が吸入管１２及び内部空間の一領域を満たして吸入部２１によって吸い込まれ、洗浄水の流れによって吸入管１２及び内部空間が洗浄されることができる。
【００７６】
また、洗浄水が第２洗浄水供給管１６及び第３洗浄水供給管１８を通して第２ノズル部１５及び第３ノズル部１７に提供され、洗浄水の流れによって第２ノズル部１５、第３ノズル部１７、第２洗浄水供給管１６、第３洗浄水供給管１８が洗浄されることができる。この時、第２ノズル部１５は噴射口１５１が内部空間を成す壁面に向かうようにすることで、壁面が洗浄されることができる。また、第２ノズル部１５及び第３ノズル部１７から供給された洗浄水が吸入部２１によって吸い込まれて吸入管１２が洗浄されることができる。つまり、本発明は排泄物及び洗浄水が通るすべての経路をノンストップで洗浄することができる。
【００７７】
一方、このような制御部２５の動作は１回以上繰り返されることができる。
【００７８】
制御部２５はコントロールパネル２４を通じて消毒コースが選択されると、後述する消毒剤供給部２３を駆動して洗浄水貯蔵部２２に消毒剤を投入し、洗浄水貯蔵部２２のポンプ２２０を駆動し、第１洗浄水供給管１４が開放されるように第１バルブ１４２を制御し、内部空間に既設定された量の洗浄水を供給し、既設定された時間が経った後で吸入部２１を駆動して内部空間及び吸入管１２に位置した洗浄水を吸い込む。この時、洗浄水は消毒剤が混合されたため、消毒液として作用することがある。消毒剤供給部２３の駆動を除いては洗浄コースと同一であるため、詳しい説明は省略する。
【００７９】
このように消毒剤が洗浄水貯蔵部２２に供給されることで洗浄水貯蔵部が消毒されることがあり、第１洗浄水供給管１４を通して洗浄水が内部空間に提供され、洗浄水の流れによって第１洗浄水供給管１４及び第１ノズル部１３が消毒されることができ、内部空間に供給された洗浄水が吸入管１２及び内部空間の一領域を満たし、吸入部２１を通じて吸い込まれ、洗浄水の流れによって吸入管１２及び内部空間が消毒されることができる。
【００８０】
また、洗浄水が第２洗浄水供給管１６及び第３洗浄水供給管１８を通して第２ノズル部１５及び第３ノズル部１７に提供され、洗浄水の流れによって第２ノズル部１５、第３ノズル部１７、第２洗浄水供給管１６、第３洗浄水供給管１８が消毒されることができる。この時、第２ノズル部１５は噴射口１５１が内部空間を成す壁面に向かうようにすることで壁面が消毒される。また、第２ノズル部１５及び第３ノズル部１７から供給された洗浄水が吸入部２１によって吸い込まれながら吸入管１２が消毒されることができる。すなわち、本発明は排泄物及び洗浄水が通るすべての経路をノンストップで消毒することができる。
【００８１】
本発明の一実施例によって、制御モジュール２０の吸入部２１、洗浄水貯蔵部２２、消毒剤供給部２３、第１連結管１４１、第２連結管１６０、吸入管１２及び第１洗浄水供給管１４の全体または一領域を保管するハウジング３０が形成されてもよい。
【００８２】
また、ハウジング３０の外周面には吸入管１２の一端と他端（以下、吸入管の端部）を同一線上に位置させ、吸入管１２の一端と他端を除いた吸入管１２の一領域（以下、吸入管の一領域）を吸入管１２の端部より下に位置するように本体１１の角度が調節されて安着される据置台４０が形成されることができる。すなわち、本体１１を据置台４０に安着する場合、本体１１の角度調節及び吸入管の高低を別途調節する必要がない。
【００８３】
本体１１の角度が調節され、吸入管１２の端部が同一線上に位置し、吸入管１２の一領域を吸入管１２の端部より下に位置させることで、内部空間に供給される洗浄水が吸入管１２に流れ込むことができ、吸入部２１と連結された吸入管１２の一端まで洗浄水が伝達されて満たされる。つまり、本発明は別途に吸入管１２の一端を防がなくても吸入管１２の高低を調節して吸入管１２に洗浄水を満たすことができる。吸入管１２に洗浄水が満たされることで、吸入管１２で硬くなった排泄物がふやかされる（ｓｏａｋ）ことができる。
【００８４】
以下では、図１ないし図６を参照にして、排泄物処理装置１の洗浄及び消毒方法について詳察してみる。図７は、本発明の第１実施例による排泄物処理装置１の洗浄及び消毒方法を図示するフローチャートである。
【００８５】
本発明の第１実施例による排泄物処理装置１の洗浄及び消毒方法は、吸入管１２の一端と他端を同一線上に位置させる段階（Ｓ１００）、ポンプ２２０を駆動して第１ノズル部１３を通して洗浄水を本体１１の内部空間に既設定された水位まで供給する段階（Ｓ１２０）及び内部空間に既設定された水位まで洗浄水が供給された状態を所定時間維持した後、吸入部２１を駆動して内部空間及び吸入管１２に位置した洗浄水を吸い込む段階（Ｓ１３０）を含むことができる。
【００８６】
本発明の一実施例によって、吸入管１２の一端と他端を同一線上に位置させる段階（Ｓ１００）以後、消毒剤供給部２３を駆動して洗浄水貯蔵部２２に消毒剤を投入する段階（Ｓ１１０）をさらに含むことができる。この時、Ｓ１１０ないしＳ１３０段階は制御部２５によって行われても良い。
【００８７】
制御部２５は、Ｓ１１０段階で消毒剤供給部２３を駆動して洗浄水が消毒液として作用するように変化させ、Ｓ１２０段階で変化された洗浄水を本体１１の内部空間に既設定された量の洗浄水を供給したり、水位センサーを通じて水位を測定し、洗浄水の供給を制御して既設定された水位まで洗浄水を供給し、Ｓ１３０段階で所定時間が経った後、吸入部２１を駆動して内部空間及び吸入管１２に位置した洗浄水を吸い込むことができる。
【００８８】
この時、消毒剤供給部２３は制御部２５から駆動信号が印加されると、洗浄水貯蔵部２２に一定量の消毒剤を供給するように設定されたり、一定週期ごとに洗浄水貯蔵部２２に一定量の消毒剤が供給されるように設定されることができる。本発明の一実施例によって、ポンプ２２０の動作と同時に作動されることができる。
【００８９】
図８を参照すれば、吸入管１２の一端と他端を同一線上に位置させる段階（Ｓ１００）は、吸入管１２が組み合わせられた本体１１の一端が下方に向かうように本体１１の角度を調節する段階（Ｓ１０１）と、吸入管１２の一端と他端を同一線上に位置させる段階（Ｓ１０２）と、吸入管１２の一端及び他端を除いた一領域を吸入管１２の一端及び他端より下に位置させる段階（Ｓ１０３）を含む。
【００９０】
これにより、内部空間に位置した洗浄水が吸入管１２に流れ込むことができ、吸入部２１が連結された吸入管１２の一端まで洗浄水が伝達されて満たされることができる。本発明の一実施例によって、吸入管１２の一端と他端を同一線上に位置させる段階（Ｓ１００）は、本体１１を上述した据置台４０に固定する段階であってもよい。
【００９１】
図９を参照すれば、洗浄水を内部空間に既設定された水位まで供給する段階（Ｓ１２０）は、洗浄水貯蔵部２２のポンプ２２０を駆動して第１の量ほどの洗浄水を内部空間に供給する段階（Ｓ１２１）と、第１の量ほどの洗浄水供給が完了された後、再びポンプ２２０を駆動して第２の量ほどの洗浄水を内部空間に供給する段階（Ｓ１２２）を含むことができる。
【００９２】
この時、第２の量ほどの洗浄水を内部空間に供給する段階（Ｓ１２２）は、第１の量ほどの洗浄水を内部空間に供給する段階（Ｓ１２１）より洗浄水の供給速度が遅いことがある。すなわち、初めは洗浄水が速く供給され、ある程度満たされてからは洗浄水が遅く供給されて、洗浄水を供給する過程で内部空間の洗浄水が溢れたり本体１１の外部に飛び散ることのないようにすることができる。
【００９３】
Ｓ１２１及びＳ１２２段階は、制御部２５によって行われてもよい。制御部２５はＳ１２１段階でポンプ２２０を駆動し、既設定された第１の量ほどの洗浄水を内部空間に供給し、Ｓ１２２段階で既設定された第２の量ほどの洗浄水を内部空間に供給することができる。
【００９４】
図１０を参照すれば、本発明の他の実施例によって、第１ノズル部１３を通して内部空間に既設定された水位まで洗浄水を供給する段階（Ｓ１２０）は、内部空間に洗浄水を供給する段階（Ｓ１２３）と、内部空間に取り付けられた水位センサー１１３を通じて水位を測定する段階（Ｓ１２４）と、水位測定値が既設定された水位以上であれば、ポンプ２２０の駆動を中止する段階（Ｓ１２５）を含むことができる。これによって、本発明の排泄物処理装置１は、既設定された水位まで正確に洗浄水を供給することができる。
【００９５】
Ｓ１２３ないしＳ１２５段階は制御部２５によって行われてもよい。制御部２５は、Ｓ１２３段階で洗浄水貯蔵部２２のポンプ２２０を駆動して内部空間に洗浄水を供給し、Ｓ１２４段階で水位センサー１１３から内部空間の測定された水位値を受信する。水位値を受信した後、制御部２５はＳ１２５段階で測定された水位値が既設定された水位であるか否か判断し、測定された水位値が既設定された水位以上である場合はポンプ２２０の駆動を中止し、測定された水位値が既設定された水位未満である場合はポンプ２２０の駆動を維持することができる。
【００９６】
また、本発明の一実施例によって、排泄物処理装置１の洗浄及び消毒方法は、内部空間に位置した洗浄水を吸い込む段階（Ｓ１３０）後、第２ノズル部１５の噴射口１５１が内部空間の内壁に向かうように第２ノズル部１５を切り替える段階（Ｓ１４０）、第２ノズル部１５に洗浄水を供給する段階（Ｓ１５０）及び内部空間に位置した洗浄水を吸入管１２を通じて吸い込む段階（Ｓ１６０）を含むことができる。Ｓ１４０ないしＳ１６０段階を通じて内部空間をなす内壁が洗浄または消毒されてもよい。
【００９７】
Ｓ１４０ないしＳ１６０段階は制御部２５によって行われてもよい。制御部２５は、Ｓ１４０段階で第２ノズル部１５を制御し、第２ノズル部１５の噴射口１５１が内壁に向かうようにノズルを切り替えた後、Ｓ１５０段階でポンプ２２０を所定時間駆動して第２ノズル部１５に洗浄水を供給し、Ｓ１６０段階で吸入部２１を駆動して第２ノズル部１５から排出された洗浄水を吸い込むことができる。
【００９８】
本発明の実施例によって、排泄物処理装置１の洗浄及び消毒方法は、内部空間に位置した洗浄水を吸い込む段階（Ｓ１２０）または内部空間に位置した洗浄水を吸入管１２を通じて吸い込む段階（Ｓ１６０）の後、第３ノズル部１７に洗浄水を供給する段階（Ｓ１７０）と、内部空間に位置した洗浄水を吸入管１２を通じて吸い込む段階（Ｓ１８０）をさらに含むことができる。Ｓ１７０ないしＳ１８０段階を通じて第３ノズル部１７が洗浄または消毒されることができる。
【００９９】
Ｓ１７０ないしＳ１８０段階は制御部２５によって行われてもよい。制御部２５は、Ｓ１７０段階でポンプ２２０を所定時間駆動して第３ノズル部１７に洗浄水を供給し、Ｓ１８０段階で吸入部２１を駆動して第３ノズル部１７から排出された洗浄水を吸い込むことができる。
【０１００】
発明の実施例によると、排泄物処理装置１を分離せずに、本来の排泄物処理装置１に形成された吸入部２１、ポンプ２２０などを活用して排泄物処理装置１を洗浄及び消毒することができるので、使用者の便宜性が向上される。
【０１０１】
また、本発明の実施例によれば、排泄物処理装置１の吸入管１２及び本体１１に洗浄水が満たされた状態を所定時間維持した後で洗浄水が吸い込まれるので、乾いた排泄物が洗浄水によってふやかわれて容易に除去され、洗浄及び消毒効率が向上されることができる。
【０１０２】
図１１は本発明の第２実施例による排泄物処理装置２を図示する図面で、図１２は本発明の第２実施例による排泄物処理装置２の構成図である。
【０１０３】
本発明の第２実施例による排泄物処理装置２は、排泄物収容部５０と制御モジュール６０を含む。
【０１０４】
排泄物収容部５０は一般的な便器で、水道蛇口と水道管を通じて連結され、内部に洗浄水が貯蔵される洗浄水貯蔵部５１、排泄物を受ける内部空間５２０が形成され、内部空間と連通されるサイフォン管（未図示）が形成される洋式便器５２を含む。
【０１０５】
この時、洋式便器５２の内部空間５２０が一定量以上の洗浄水が供給される場合、内部空間５２０に位置した洗浄水はサイフォン管（未図示）に沿ってサイフォン管に連結された外部に排出されるようになり、排泄物も洗浄水とともに外部に排出されるようになる。すなわち、第１実施例の排泄物収容部１０と違ってサイフォン管効果によって内部空間５２０の排泄物及び洗浄水が移動されるので、別途吸入部が求められない。
【０１０６】
排泄物収容部５０は、洗浄水供給部５３、第１洗浄水供給管（未図示）、ノズル部５４及び第２洗浄水供給管（未図示）を含む。
【０１０７】
洗浄水供給部５３は内部空間５２０に水を供給する構成要素であって、内部空間５２０に形成される。第１洗浄水供給管は洗浄水貯蔵部５１及び洗浄水供給部５３と連結され、洗浄水貯蔵部５１の洗浄水を洗浄水供給部５３に伝達する構成要素である。この時、洗浄水貯蔵部５１と第１洗浄水供給管の間には後述する制御モジュール６０のバルブ６１が形成され、第１洗浄水供給管への洗浄水供給が制御されることができる。
【０１０８】
ノズル部５４は使用者に洗浄水を噴射する構成要素であって、内部空間５２０に形成される。第２洗浄水供給管は洗浄水貯蔵部５１及びノズル部５４と連結され、洗浄水貯蔵部５１の洗浄水をノズル部５４に伝達する構成要素である。この時、洗浄水貯蔵部５１と第２洗浄水供給管の間には後述する制御モジュール６０のポンプ６２が形成され、第２洗浄水供給管への洗浄水供給が制御されると同時に、ノズル部５４に噴射される洗浄水の噴射力を調節することができる。
【０１０９】
制御モジュール６０は排泄物収容部５０の洗浄及び消毒を制御する構成要素であって、排泄物収容部５０と連結される。制御モジュール６０はバルブ６１及びポンプ６２を含み、消毒剤供給部６３、コントロールパネル６４及び制御部６５をさらに含むことができる。
【０１１０】
バルブ６１は洗浄水貯蔵部５１と第１洗浄水供給管の間に形成され、第１洗浄水供給管の開閉を制御する。この時、バルブ６１は制御部６５によって制御されることができる。
【０１１１】
ポンプ６２は洗浄水貯蔵部５１と第２洗浄水供給管の間に形成され、洗浄水貯蔵部５１に貯蔵された洗浄水が第２洗浄水供給管に移動するようにポンプ能力を提供する。
【０１１２】
消毒剤供給部６３は洗浄水貯蔵部５１に消毒剤を供給する構成要素であって、洗浄水貯蔵部５１に組み合わせられる。洗浄水貯蔵部５１に消毒剤が供給される場合、洗浄水貯蔵部５１に貯蔵された洗浄水が消毒液に変化されることがある。
【０１１３】
コントロールパネル６４は、洗浄コースまたは消毒コースを選択する使用者の命令信号が入力され、制御部６５に送信する構成要素である。
【０１１４】
制御部６５は、バルブ６１、ポンプ６２、消毒剤供給部６３及びノズル部５４を制御する構成要素である。また、制御部６５は使用者がコントロールパネル６４を通じて洗浄コースまたは消毒コースを選択すれば、バルブ６１、ポンプ６２、消毒剤供給部６３及びノズル部５４を制御して既設定された洗浄コースまたは消毒コースを行う。
【０１１５】
制御部６５はコントロールパネル６４を通じて使用者が洗浄コース選択を入力すれば、ノズル部５４を駆動してノズル部５４の噴射口５４０が内部空間５２０に向かうように切り替え、ポンプ６２を駆動して洗浄水貯蔵部５１から既設定された量の洗浄水を第２洗浄水供給管を通してノズル部５４に供給し、バルブ６１を駆動して既設定された量の洗浄水を洗浄水供給部５３に供給する。この時、バルブ６１及びポンプ６２は同時に駆動されてもよい。
【０１１６】
一方、洗浄水供給部５３に供給される既設定された量の洗浄水は、排泄物収容部でサイフォン現象が発生できるほどの量の洗浄水であってもよい。
【０１１７】
このように洗浄水が洗浄水貯蔵部５１に位置することで、洗浄水貯蔵部５１が洗浄されることができ、第２洗浄水供給管を通して洗浄水がノズル部５４に提供され、洗浄水の流れによって第２洗浄水供給管及びノズル部５４が洗浄されることができ、第１洗浄水供給管を通して洗浄水が洗浄水供給部５３に提供され、洗浄水の流れによって第１洗浄水供給管及び洗浄水供給部５３が洗浄されることができる。
【０１１８】
また、ノズル部５４及び洗浄水供給部５３に提供された洗浄水が内部空間５２０に供給されて内部空間５２０が洗浄されることができ、洗浄水がサイフォン管に沿って移動するので、サイフォン管も洗浄されることができる。すなわち、本発明は排泄物及び洗浄水が通るすべての経路をノンストップで洗浄することができる。
【０１１９】
一方、ノズル部５４の噴射口５４０が内部空間５２０に向かうように切り替えられるため、洗浄水が排泄物収容部５０の外部に噴射されない。
【０１２０】
制御部６５はコントロールパネル６４を通じて使用者が消毒コース選択を入力すれば、消毒剤供給部６３を駆動して洗浄水貯蔵部５１に消毒剤を投入し、ノズル部５４を駆動してノズル部５４の噴射口５４０が内部空間５２０に向かうように切り替え、ポンプ６２を駆動して洗浄水貯蔵部５１から既設定された量の洗浄水を第２洗浄水供給管を通してノズル部５４に供給し、バルブ６１を駆動して既設定された量の洗浄水を洗浄水供給部５３に供給する。消毒剤供給部６３の駆動を除いて洗浄コースと同一であるため、詳しい説明は省略する。この時、洗浄水は消毒剤が混合されたので、消毒液として作用することができる。
【０１２１】
このように消毒剤が洗浄水貯蔵部５１に供給されることで洗浄水貯蔵部５１が消毒されることができ、第２洗浄水供給管を通して洗浄水がノズル部５４に提供され、洗浄水の流れによって第２洗浄水供給管及びノズル部５４が消毒されることができ、第１洗浄水供給管を通して洗浄水が洗浄水供給部５３に提供され、洗浄水の流れによって第１洗浄水供給管及び洗浄水供給部５３が消毒されることができる。
【０１２２】
また、ノズル部５４及び洗浄水供給部５３に提供された洗浄水が内部空間５２０に供給されて内部空間５２０が消毒されることができ、洗浄水がサイフォン管に沿って移動するので、サイフォン管も消毒されることができる。すなわち、本発明は排泄物及び洗浄水が通るすべての経路をノンストップで消毒することができる。
【０１２３】
以下では、図１１及び図１２を参照して排泄物処理装置２の洗浄及び消毒方法について詳察する。図１３は、本発明の第２実施例による排泄物処理装置２の洗浄及び消毒方法を図示するフローチャートである。
【０１２４】
本発明の第２実施例による排泄物処理装置２の洗浄及び消毒方法は、ノズル部５４の噴射口５４０が内部空間５２０に向かうようにノズル部５４を切り替える段階（Ｓ２１０）、ノズル部５４に洗浄水を供給する段階（Ｓ２２０）及び洗浄水供給部５３に洗浄水を供給する段階（Ｓ２２０）を含む。
【０１２５】
本発明の一実施例によって、ノズル部５４を切り替える段階（Ｓ１１０）の前に、消毒剤供給部６３を駆動して洗浄水貯蔵部５１に消毒剤を投入する段階（Ｓ２００）をさらに含むことができる。Ｓ２００ないしＳ２３０段階は制御部６５によって行われてもよい。
【０１２６】
制御部６５は、Ｓ２００段階で消毒剤供給部６３を駆動して洗浄水が消毒液として作用するように変化させ、Ｓ２１０段階でノズル部５４を制御してノズル部５４の噴射口５４０が内部空間５２０に向かうようにノズルを切り替えた後、Ｓ２２０段階でポンプ６２を所定時間駆動してノズル部５４に洗浄水を供給し、Ｓ２３０段階でバルブ６１を所定時間オープンされるように駆動して洗浄水供給部５３に洗浄水を供給する。この時、Ｓ２３０段階で制御部６５の量は、排泄物収容部５０にサイフォン現象を発生させる程度の量の洗浄水が供給されるようにバルブ６１を制御することができる。
【０１２７】
発明の実施例によれば、排泄物処理装置２を分離せずに、本来の排泄物処理装置２に形成されたバルブ６１、ポンプ６２などを活用して排泄物処理装置２を洗浄及び消毒することができるので、使用者の便宜性が向上されることができる。
【０１２８】
前述した本発明の説明は例示のためのものであって、本発明が属する技術分野における通常の知識を有する者は、本発明の技術的思想や必須的特徴を変更せずに別の具体的な形態に変形しやすいことを理解することができる。よって、以上で記述した実施例は、すべての面で例示的なものであって、限定的ではないものとして理解しなければならない。例えば、単一型に説明されている各構成要素は分散されて実施されてもよく、同様に分散されたもので説明されている構成要素も組み合わせられた形態で実施されてもよい。
【０１２９】
本発明の範囲は後述する特許請求範囲によって示され、特許請求範囲の意味及び範囲、そしてその均等概念から導き出されるすべての変更または変形された形態が本発明の範囲に含まれるものとして解釈しなければならない。
【図１（ａ）】
0006983441.tif 000002
【図１（ｂ）】
0006983441.tif 000003
【図２】
0006983441.tif 000004
【図３】
0006983441.tif 000005
【図４】
0006983441.tif 000006
【図５】
0006983441.tif 000007
【図６】
0006983441.tif 000008
【図７】
0006983441.tif 000009
【図８】
0006983441.tif 000010
【図９】
0006983441.tif 000011
【図１０】
0006983441.tif 000012
【図１１】
0006983441.tif 000013
【図１２】
0006983441.tif 000014
【図１３】
0006983441.tif 000015